(57)【要約】【課題】様々な使用態様に対応し且つその使用態様における使用勝手の良好なフレキシブルで新しいテープカッタを提供する。【解決手段】巻テープを回転可能に保持しこの巻テープＴを構成するテープＴ１を引き出して適宜の長さにカットするための切刃部Ｃを備えているテープカッター本体と、その表面の性質を異ならせた接地面５ａ、５ｂを有し、これら接地面５ａ、５ｂの何れかを選択的に且つ前記テープカッター本体１の底部側に位置させて天板面Ｌに対して当接し得る姿勢で前記テープカッター本体１に装着される接地部材５とを備えた。【選択図】図２
2004001937.tif 000002
【特許請求の範囲】
【請求項１】
巻テープを回転可能に保持しこの巻テープを構成するテープを引き出して適宜の長さにカットするための切刃部を備えているテープカッター本体と、
その表面の性質を異ならせた複数の接地面を有し、前記複数の接地面の何れかを選択的に且つ前記テープカッター本体の底部側に位置させて所定の載置面に対して当接し得る姿勢で前記テープカッター本体に装着される接地部材とを備えたテープカッター。
【請求項２】
前記複数の接地面のうちの一つが、粘着性を有する素材を表面に露出させて形成したものである請求項１記載のテープカッター。
【請求項３】
前記接地部材が、前記テープカッター本体の底部側に着脱自在であり且つその上下に前記表面の性質を異ならせた複数の接地面たる二つの接地面を形成してなる平板状のものである請求項１又は２記載のテープカッター。
【請求項４】
前記接地部材を、当該接地部材の両側に設けた突起をテープカッター本体の対向する壁部に設けた突起支持部に支持させることでテープカッター本体に装着するように構成し、
前記突起を、上下対称な形状をなすように成形し且つ平面視対称な位置に設けている請求項３記載のテープカッター。
【請求項５】
前記接地部材が、前記突起を前記突起支持部に支持させた状態の装着位置と、前記突起が突起支持部とは係り合っていない状態の装着準備位置との間をスライド操作によって移動させるようにしている請求項４記載のテープカッター。
【請求項６】
前記切刃部を上方へ位置付けて前記載置面に載置させた状態で前記巻テープから手で引っ張ることで前記テープを引き出す第１の使用態様と、前記切刃部を下方へ位置付けて前記テープの端部を固定し前記テープカッター本体の底部側を把持して引っ張ることで前記テープを引き出す第２の使用態様とを使い分け可能に構成されている請求項１乃至５記載のテープカッター。
【請求項７】
前記接地部材を、前記接地面がテープカッター本体の前記第２の使用態様において掌に当たる部位に位置するように装着している請求項７記載のテープカッター。
【請求項８】
テープカッター本体に当該テープカッタ本体を把持するための把持部を備えている請求項６又は７記載のテープカッター。
【発明の詳細な説明】
【０００１】
【発明の属する技術分野】
本発明は、オフィスや学校などで好適に使用される巻テープを回転可能に支持したテープカッターに関するものである。
【０００２】
【従来の技術】
この種のテープカッターは、巻テープを構成するテープを引き出して適宜の長さにカットするための切刃部を備えてこの巻テープを回転可能に支持するように構成されているものが広く知られ、例えば天板面など所定の載置面に、切刃部を上方に位置付けて前記載置面に載置した状態で、前記巻テープを構成するテープを手で引っ張るようにして引き出すような態様で使用されている。
【０００３】
その他、最近では、上記のような使用態様と、前記切刃部を下方へ位置付けるとともにテープの端部を固定し前記テープカッター本体をその底面部分を掌に挟むように把持して引っ張ることで前記テープを引き出す第２の使用態様とを使い分け可能に構成されたテープカッターもある。
【０００４】
【発明が解決しようとする課題】
ところで、これらのようなテープカッタにおいて、近年、軽量構造を採用しつつ安定した状態でテープを引き出せるように、テープカッター本体の底面側に粘着面を露出させた接地面を備えた平板状の接地部材を装着して、その使い勝手を向上させるようにしたものが考えられているが、未使用時や持ち運びの際には、その接地部材を外す又は粘着面にフィルムなどのカバーを被覆させるような構成となっている。
【０００５】
そこで、発明者はこのような接地面を備えた接地部材に着目し、この接地部材をより効果的に機能させるべく粘着面のみならず種々の性質を有する複数の接地面を備えたものにして、これら複数の接地面の何れかを選択的に前記所定の載置面に当接できるように構成して、様々な使用態様に対応し且つその使用態様における使用勝手の良好なフレキシブルで新しいテープカッタを提供する。
【０００６】
【課題を解決するための手段】
すなわち、本発明は、巻テープを回転可能に保持しこの巻テープを構成するテープを引き出して適宜の長さにカットするための切刃部を備えているテープカッター本体と、その表面の性質を異ならせた複数の接地面を有する接地部材とを具備し、この接地部材を、前記複数の接地面の何れかを選択的に且つ前記テープカッター本体の底部側に位置させて所定の載置面に対して当接し得る姿勢で当該テープカッター本体に装着しているテープカッターである。
【０００７】
なお、巻テープとしては、接着力を有する粘着テープから構成されたものとして、一般に帯状セロファンの片面に接着剤を塗布したセロファンテープ、帯状布又は紙の片面に接着剤を塗布した通称ガムテープ、帯状布の片面に薬剤層を形成している医療用テープ等が挙げられ、また、接着力を有さない紙テープや布テープ等からなるものを含むものである。また、「テープカッター本体の底部」とは、切刃部を上方へ位置付けた際に底側に設定される部位のことであり、この切刃部を収納可能なテープカッター本体であれば、その切刃部をセットした状態において底側に位置する部位のことである。
【０００８】
このようなものであれば、前記接地部材の複数の接地面を、それぞれ異なる使用態様に応じたものにすることで、複数の使用態様に対応し得るフレキシブルなテープカッターとすることができる。
そして、このような接地部材の好適な具体的態様は、複数の接地面のうち一つを粘着性を有する素材を表面に露出させた粘着面を備えて構成したものが挙げられる。すなわち、このような接地面を所定の載置面に対して当接させるとテープカッタ本体を載置面上に固定することができるため、巻テープからのテープの引き出し動作及びカット動作を安定的に且つスムーズに行えるようになる。その他、例えば複数の接地面に、摩擦力を低減させるような素材によって構成した接地面を備えれば、天板面など所定の載置面上を移動し易くすることができ、また、マグネットや面ファスナなどから構成した接地面を備えれば、金属製の壁面や面ファスナを備えた壁面等を載置面として横にした状態で使用することも可能になる。しかも、これらを組み合わせることができるので、種々の使用態様を可能にする。
【０００９】
このようにテープカッター本体に装着させる接地部材の好適な具体的態様としては、テープカッター本体の底部側に着脱自在なものであって且つその上下に二つの接地面を形成してなる平板状に形成したものが挙げられる。すなわち、このようなものであれば、テープカッターの構成を大きくせずともよい。また、このような接地部材を、その上下の接地面を所定の載置面に接地させる姿勢でテープカッター本体に装着することを実現するための簡素で好ましい具体的態様としては、接地部材の両側に設けた突起を設けて、この突起をテープカッター本体の対向する壁部に形成した突起支持部の上向き面で支持させることで接地部材をテープカッター本体に装着するように構成し、前記突起を平面視対称な位置に設けるとともに上下対称な形状をなすように成形しているものが挙げられる。
【００１０】
そして、この接地部材を簡単に着脱できるようにするためには、スライド操作を利用すると好適であり、接地部材を、前記突起を前記突起支持部に支持させた状態の装着位置と、前記突起が突起支持部とは係り合っていない状態の装着準備位置との間をスライド移動させるように構成したものが挙げられる。
【００１１】
また、本発明の効果を特に有効に発揮させるためには、前記切刃部を上方へ位置付け前記載置面に載置した状態で前記巻テープから前記テープを手で引っ張ることで引き出す第１の使用態様と、前記切刃部を下方へ位置付け前記テープの端部を固定し前記テープカッター本体の底部側を把持して引っ張ることで前記テープを引き出す第２の使用態様とを使い分け可能に構成されてテープカッターに適用することが望ましい。すなわち、元来二つの使用態様に応じて構成されたテープカッターを、複数の接地面をそれぞれ第１の使用態様及び第２の使用態様において使い勝手を向上させるようなものに構成することが可能であり、その結果、使用者にとって極めて使い易いテープカッターとすることが可能である。
【００１２】
そして、このようなものにおいては、接地部材の構成を大きくせずに有効に効果を得るためには、第２の使用態様において掌が当たる部位にその接地面を位置付けるようにテープカッター本体に装着するようにすれば好適である。このようなものであれば、複数の接地面のうちの一つを軟質素材を露出させるように構成することによって、第２の使用態様の使用感を向上させるようにすることもできるようになる。
【００１３】
特に、このようなものにおいて、前記接地部材の奏する効果と相俟って使い勝手をさらに向上させるようにするためには、テープカッター本体に当該テープカッタ本体を把持するための把持部を形成することが望ましい。
【００１４】
【発明の実施の形態】
以下、本発明の一実施形態を、図面を参照して説明する。
【００１５】
本実施形態におけるテープカッターＴＣは、オフィスや学校や個人宅等において使用されるもので、巻テープＴを回転可能に保持しこの巻テープＴを構成するテープＴ１を引き出して適宜の長さにカットするための切刃部Ｃを備えているテープカッター本体２と、接地部材５とを具備してなるものである。また、本実施形態のテープカッターＴＣは、図３に示すような、前記切刃部Ｃを上端部側へ位置付けた状態で所定の載置面たる天板面Ｌに載置して前記巻テープＴから前記テープＴ１を手で引っ張ることで引き出す第１の使用態様と、図４に示すような、前記切刃部Ｃを下端部側へ位置付けた状態で前記テープＴ１の端部を固定しテープカッター本体１の底部側を掌に挟むように把持して引っ張ることで前記テープＴ１を引き出す第２の使用態様とを使い分け可能に構成されたものである。なお、以下において、その前後方向については、切刃部Ｃを設けた側を前方（図中Ｆで示す）反対側を後方（図中Ｒで示す）として説明している。
【００１６】
巻テープＴは、図示しない芯に粘着性又は接着性を有する接着面を有するテープＴ１をロール状に巻き付けて構成したもので、例えばセロファンを素材としたものなどである。そして、テープカッター本体１に設けられた図示しない支持軸に芯を嵌め込むようにして回転可能に保持されるものである。
【００１７】
テープカッター本体１は、その主体をなす本体部２と、この本体部２の一方の側部に形成した開口Ｋを覆うように取り付けたストッパ３とを備えてなる。
【００１８】
本体部２は、例えば、ＰＰやＡＢＳ等の樹脂等を素材としたもので、底壁部２１と、この底壁部２１の前縁から起立させるように設けられ前記切刃部Ｃをその上端に備えた前壁部２２と、底壁部２１の後縁から起立して背面を形成する背壁部２３と、これら前壁部２２と背壁部２３との間に底壁部２１の側縁から起立させて側面視においてその外縁形状を略一致させた左右の側壁部２４、２５と、天壁部２６とからなり、これら底壁部２１、前壁部２２、背壁部２３、左右の側壁部２４、２５及び天壁部２６とによって巻テープＴを収納する収納空間を形成している。なお、この本体部２は、半割り成形によるものである。
【００１９】
前記底壁部２１は、テープカッター本体１の底部を構成するもので、手で把持し易い厚み幅寸法（左右幅寸法）に設定されたものである。前壁部２２は、その上端部分を後方へ湾曲させるように成形されたもので、その上端部に設けた切刃部Ｃを後方へ傾斜した状態で取り付けており、前記第２の実施形態においてテープＴを切り取り易くしている。そして、この前壁部２２と天壁部２６との境界部分には、収納空間に配した巻テープＴからテープＴ１を切刃部Ｃまで引き出すための引出口Ｐが形成されている。また、天壁部２６と背壁部２３とは、連続した部分円弧形状をなすように成形されている。また、本実施形態では、前記本体部２の側壁部２４、２５の一方（図示例のものにおいては左側の側壁部２４）に、前記収納空間を一側端側に開放する開口Ｋを形成して、この開口Ｋにおいて巻テープＴが支持軸から抜脱するのを禁止するストッパ３を当該開口Ｋの一部を覆うように配し、このストッパ３の縁部３ａと前記開口Ｋの縁部Ｋａとの間に、巻テープＴの残量を視認可能なスリットＳを形成している。前記ストッパ３は、例えば前記本体部２を構成する樹脂より軟質な樹脂等を素材とし、本実施形態では側面視略円形をなすように成形されたもので、その半径は、前記巻テープの芯よりも若干大きく且つ前記開口Ｋの半径よりも小さく設定されている。なお、このストッパ３は、テープカッター１の左側面を形成するカバー部材としての機能をも担っている。また、このストッパ３は、例えば構成している素材の弾性力を利用して或いは適宜の取付手段を介して、本体部２に対して着脱可能に構成されているものである。また、本実施形態においては、このストッパ３のみを、他の部材とは異なる色のものにしてデザイン的に良好なものとしている。
【００２０】
さらに、本実施形態では、前記ストッパ３に円形をなす第１の凹部４１に形成するとともに、前記右側壁部２５にこの第１の凹部４１と略同心円形をなす第２の凹部４２を形成することによって、把持部４を形成し、さらにこれら第１の凹部４１及び第２の凹部４２（図５参照）の縁部４１ａ及び４２ａ（図５参照）を、テープＴ１を引っ張る際などに引っ掛かる滑止部として機能させるようにしている。
【００２１】
一方、接地部材５は、その表面の性質を異ならせた複数の接地面たる２つの接地面５ａ、５ｂを有し、この２つの接地面５１、５２のどちらかを選択的にテープカッター本体の底部側に表出させて所定の載置面たる天板面Ｌに当接させる姿勢で前記テープカッター本体１に装着されるものである。本実施形態においては、この接地部材５は、テープカッター本体１に形成した収容部６内に装着されている。
【００２２】
先に、収容部６から説明すると、図１０，図１１に示すように、この収容部６は、本体部２の底壁部を上方に凹ませて下方に開口する凹部６１を形成するとともに、左右の側壁部２４、２５においてこの凹部６１を挟む部位に、後述する操作部６を手掛け可能に露出させる切欠部６２を形成して構成したものである。本実施形態においては、この収容部６は、前方側すなわち切刃部Ｃ側に形成されており、接地部材５の接地面５ａ、５ｂは、テープカッター本体１の底部を構成する底壁部２１の切刃部Ｃ側に表出することになる。すなわち、第２の使用形態においては、通常安定感を得るために図４に示したように手を載置面たる天板面Ｌに当てるようにしてテープカッターＴＣを把持する場合が多く、その結果、底壁部２１を起立させた状態における下端側すなわち切刃部Ｃ側を把持することになるが、その際に掌に当たる部位に接地面５ａ、５ｂが位置付けられるようになっている。
【００２３】
接地部材５は、その上面側と下面側とにその表面の性質の異なるようにした接地面５ａ、５ｂをそれぞれ形成した平板状をなすものである。一方の接地面５ａは、この接地部材５の主体をなす薄板状に成形された樹脂製の接地部材本体５１の上面及び下面のどちらか一方に略全面にウレタン等からなる粘着層を積層することで、粘着面（図８において斜線を引いて示した部分）が表面に露出するようにしたのであり、他方の接地面５ｂは、接地部材本体５１の素材である樹脂（例えばＡＢＳ樹脂）を表面に露出させて形成している。なお、この接地面５ｂは、例えば接地部材５の重量を低減させる等の目的のために接地部材本体５１に図７、図９において想像線で示している凹部５２を形成することによって平面視ロ字型をなすように形成されたものであってもよい。
【００２４】
しかして、本実施形態においては、この接地部材５を、当該接地部材５の両側に一体的に形成した突起７を、テープカッター本体１の対向する壁部たる左右の側壁部２４、２５から前記収容部６内へ突出するように設けた突起支持部８に支持させることによってテープカッター本体１に装着するようにしている。さらに図１０、１１に示すように、接地部材５に、手掛け可能な操作部９を一体に形成し、この操作部９によるスライド操作によって、前記突起７を突起支持部８に支持させた装着位置（Ｍ）と、突起７が突起支持部８と係り合っていない装着準備位置（Ｎ）（図１１参照）との間を移動するように構成するとともに、前記装着位置（Ｍ）に移動させた接地部材５の戻り動作を禁止する戻り防止手段１０を設けている。なお、図１０、１１においてテープカッター本体１の構成は、想像線で示している。
【００２５】
詳述すると、前記突起７は、接地部材本体５１の対向する側端面５１ａ、５１ｂ（図中では左右の側端面）から水平方向に突出させたもので、前後に一対ずつ計４つ形成している。これら各突起７は、前記側端面５１ａ、５１ｂの上下方向の中央部位から上下対称な形状をなすように突出させたもので、さらにこれら４つの突起７を平面視対称な位置に設けることで、接地部材５を天地逆にした状態においても突起支持部８に支持されるようにしたものである。そして、接地面５ａ、５ｂのどちらをテープカッター本体１の底部側に位置付けた場合においても前記装着位置（Ｍ）において、この突起７が突起支持部８の上向き面８ａに当たることによって、下方への脱落を禁止されテープカッター本体１に対する装着状態となる。
【００２６】
また、操作部９は、接地部材５の側端面の上下方向における中央線上から上下対称な形状をなし且つ手掛け可能な位置まで突出させて設けたものである。また、この操作部９の突出端部には、略鋸歯状の滑止部９１を形成して操作性を向上している。
【００２７】
また、戻り防止手段１０は、この際、前記切欠部６２の上端部から下方へ突出させた側面視略部分円弧状をなす突部１０Ａを形成するとともに、前記操作部９の上面及び下面の対称な位置にこの突部１０Ａに当たる側面視略部分円弧状の突部１０Ｂを形成しておき、接地部材５を、この突部１０Ｂが装着準備位置（Ｎ）から前記突部Ａの外周に沿いながら乗り越えるようにスライド移動させて装着位置（Ｍ）に到達させるようにすることで、装着位置（Ｍ）からの戻るのを禁止するものである。
【００２８】
しかして、この接地部材５を、粘着面を形成している接地面５ａが天板面Ｌに接地するように装着する場合には、当該接地面５ａを下方に位置付けた状態で収容部６に対して直交する方向に前記装着準備位置（Ｎ）まで挿入する。次に、その装着準備位置（Ｎ）から操作部９を手で把持して装着位置（Ｍ）まで、すなわち本実施形態では後方から前方へ向けて前記突部１０Ａを乗り越えてスライド移動させる。また、この状態から、反対側の接地面５１ｂを天板面Ｌに接地させる姿勢にする場合には、操作部９を把持して前記装着位置（Ｍ）から、前方から後方へ前記突部１０Ａを乗り越えるようにして装着準備位置（Ｎ）までスライド移動させ、収容部６から取り外す。そして、接地面５ｂを下方に位置付けて、上述した装着の仕方と同様に、接地部材５をテープカッター本体に装着するようにする。
【００２９】
本実施形態のテープカッターＴＣは、このように構成したので、第１の使用態様において、粘着面を形成した接地面５ａを天板面Ｌに接地させることで好適に静止した状態を維持し、小さな力でテープＴ１を引き出して切り取ることができ、すなわちテープＴ１の引き出し動作及びカット動作を安定的に且つスムーズに行える。一方、第２の使用態様おいては、テープカッター本体１の底部側に非粘着面で構成している接地面５ｂを位置付けるように変更することができ第２の使用態様において使用者の手に不快感を与えることがない。さらに、持ち運び時などにも、粘着面を形成した接地面５ａを表出させないことができゴミがつくのを防ぐことができる。
【００３０】
また、接地部材５をテープカッター本体１に対して着脱可能な平板状なものに構成して上下の接地面５ａ、５ｂを変更させるようにしているので、テープカッターＴＣの構成を大きくせずともよく、また外観を大きく損ねることがない。
【００３１】
また、この接地部材５に一体に操作部９を設けてスライド操作によって、装着するようにしているので、着脱が簡単でありすなわち接地面５ａ及び５ｂの変更を簡単に行える。
【００３２】
また、把持部４を形成しているので、第１の使用態様においては、前記接地部材５の接地面５ａによるテープカッターＴＣの静止状態を維持させる効果と相俟ってテープを切り取る動作がスムーズに行え、また、第２の使用態様においてもテープカッター１を引っ張る動作が行い易い。
【００３３】
特に、接地部材は、上記実施形態の他種々の態様が考えられる。
【００３４】
例えば、上記実施形態における非粘着面を形成している接地面５ｂを、エラストマー等の軟質素材を積層して、この軟質素材が表面に露出するように構成すれば、第２の使用態様において手で把持する部位にその接地面を位置させるように装着させているものであるので、把持した感触を良好なものとして、より使い勝手を向上させることができる。また、この接地面５ｂを滑り易い素材を積層して構成すれば、天板面Ｌ上の移動をさせやすくすることができる。その他、マグネットを備えて構成するようにすれば、天板面Ｌだけでなく、例えばデスクの引き出しやホワイトボード等の磁石性のものを接着し得る面に貼り付けるようにしてテープカッターＴＣを使用することが可能になる。一方、粘着面を形成している接地面５ａも、別の素材例えば弾性素材から構成したものであってもよく、これらを組み合わせて構成したものであってもよい。
【００３５】
また、接地部材としては、例えばその表面の性質が異なる接地面を３面以上備えて、テープカッター本体に回転可能に装着され、前記接地面の何れかを選択的に所定の載置面に当接することができるように構成したものであってもよい。
【００３６】
また、図１２に示したように、上記のような接地部材５を、底部側及び前部側２箇所に装着したようなテープカッターＴＣ’であってもよい。そして、前部側に装着した接地部材５が有する接地面のうちの一つを天板面Ｌとの摩擦力が小さい滑り易い素材を露出して形成し、その接地面を天板面Ｌに当接させるようにすれば、第２の使用態様においてテープカッターをスムーズに引っ張ることができる。なお、図１２中において、上記実施形態におけるテープカッターＴＣと同様の構成には、同じ符号を付している。
【００３７】
その他、各部の具体的構成についても上記実施形態に限られるものではなく、本発明の趣旨を逸脱しない範囲で種々変形が可能である。
【００３８】
【発明の効果】
本発明は、以上説明したような形態で実施され、以下に記載されるような効果を奏する。
【００３９】
すなわち、本発明よれば、前記接地部材の複数の接地面を、それぞれ異なる使用態様に応じたものにすることで、複数の使用態様に対応するフレキシブルなテープカッターとすることができる。
【図面の簡単な説明】
【図１】本発明の一実施形態を示す全体斜視図。
【図２】同分解斜視図。
【図３】同第１の使用態様を示す左側面図。
【図４】同第２の使用態様を示す左側面図。
【図５】同右側面図。
【図６】同底面図。
【図７】本発明の一実施形態における接地部材の平（底）面図。
【図８】図７の反対面を示した図。
【図９】本発明の一実施形態における接地部材の正面図。
【図１０】同接地部材の装着位置を示す説明図。
【図１１】同接地部材の非装着位置を示す説明図。
【図１２】本発明の別の実施形態を示す側面図。
【符号の説明】
１・・・テープカッター本体
２４、２５・・・テープカッター本体の対向する壁部（側壁部）
４・・・把持部
５・・・接地部材
５ａ、５ｂ・・・接地面
７・・・突起
８・・・突起支持部
Ｃ・・・切刃部
Ｌ・・・載置面（天板面）
Ｍ・・・装着位置
Ｎ・・・装着準備位置
Ｔ・・・巻テープ
Ｔ１・・・テープ
ＴＣ、ＴＣ’・・・テープカッター
【図１】
2004001937.tif 000003
【図２】
2004001937.tif 000004
【図３】
2004001937.tif 000005
【図４】
2004001937.tif 000006
【図５】
2004001937.tif 000007
【図６】
2004001937.tif 000008
【図７】
2004001937.tif 000009
【図８】
2004001937.tif 000010
【図９】
2004001937.tif 000011
【図１０】
2004001937.tif 000012
【図１１】
2004001937.tif 000013
【図１２】
2004001937.tif 000014